(57)【特許請求の範囲】
【請求項１】
外枠及び該外枠間に連架されて外枠を補強する内枠を備える枠体と、前記外枠又は前記内枠に間隔を置いて回動自在に取り付けられる二個のフックとを有し、枠体が二つに折り畳み可能な二フック式の物干し具であって、
前記フックと一体的に連結される連結部材と、
前記内枠又は前記外枠に固定されるフック取付金具と、
を有し、
前記連結部材がフック取付金具に回動自在に取り付けられているものにおいて、
前記連結部材は、蓋体と本体部とよりなり、フックの基部が該蓋体と本体部との間に挟み込まれて固定されており、
フック取付金具が軸穴を備えた広幅部と固定穴を備えた狭幅部とを有し、連結部材に設けられた腕部の短軸が、前記フック取付金具の軸穴に挿入されていることを特徴とする二フック式物干し具。
【請求項２】
連結部材の本体部には弧状壁とダルマ状凸部を有し、フックが蓋体と本体部とで挟み込まれて固定された際、フックは、その基部が弧状壁に沿って配設され、且つ基部の端がダルマ状凸部に形成された括れ部に当接されて収まっていることを特徴とする、請求項１記載の二フック式物干し具。
【請求項３】
前記腕部の内側に形成された係止突起が、フック取付金具の端面に形成された複数の係止溝に嵌り込むことで、フックが枠体に対して水平又は垂直の角度に仮固定されることを特徴とする、請求項１又は２記載の二フック式物干し具。
【請求項４】
前記二個のフックの向きが、物干し具幅方向において相反する方向に向けられたことを特徴とする、請求項１〜３のいずれか１項記載の二フック式物干し具。
【発明の詳細な説明】
【技術分野】
【０００１】
本発明は、簡易な構造でフックの回動を拘束することができる二フック式の物干し具に関し、更に詳しくは、外枠と、該外枠間に連架され外枠を補強する内枠と、を有する枠体と、該枠体を二つに折り畳むための回動部と、外枠又は内枠に間隔を置いて回動自在に取り付けられる二個のフックと、を有する二フック式の物干し具に関する。
【背景技術】
【０００２】
従来から、物干し具として、枠体に金具を介して洗濯バサミを吊るす構造のものが広く知られている。
しかし、この従来のハンガーはフックが一個であったため、洗濯バサミに衣類を吊るした場合に枠体が傾き、吊下げ作業が行い難くなるという問題があった。
【０００３】
また、枠体が傾斜すると、衣類の裾と、床面との間の最短距離が短くなり、衣類の裾が床面と接触し汚れる場合があった。
またバランスが崩れフックが竿から離脱する危険もあった。
この問題を解決するために、外枠と、該外枠間に連架され外枠を補強する内枠と、を有する枠体と、該枠体を二つに折り畳むための回動部と、外枠の相互に対向する位置に回動自在に取り付けられる二個のフックと、を有する二フック式の物干し具が開発された（特許文献１参照）。
【０００４】
【特許文献１】特許第３１１４０９０号公報
【発明の開示】
【発明が解決しようとする課題】
【０００５】
しかしながら、上述した従来の物干し具は、倒立位置から枠体に対して平行の位置まで、フックが回動可能となっており、しかも枠体で囲まれた空所に収まるようになっている。
そのため、空所に収めた場合にフック自体が軸突起を支点として回動して安定しない。
また、フックより大きい空所を作る必要があるため、どうしても枠体、すなわち内枠の間隔に一定以上の距離が必要となる。
そして補強のために外側に内枠を設けたい場合に、その位置に限度が生じることとなる。
【０００６】
本発明は、かかる技術背景をもとになされたもので、上記の従来技術の問題点を克服するためのものである。
すなわち、本発明は、内枠と外枠との間隔を少なくでき、しかも、簡単にフックの回動を拘束することができる二フック式の物干し具を提供することを目的とする。
【課題を解決するための手段】
【０００７】
かくして、本発明者は、このような課題背景に対して鋭意研究を重ねた結果、フックを折り畳む方向に回動させた場合にフックの先端側が枠体に当接してその回動が止まるような構造にすることにより、上記の問題点を解決することができることを見出し、この知見に基づいて本発明を完成させたものである。
【００１３】
すなわち、本発明は、（１）、外枠を補強する内枠を備える枠体と、前記外枠又は前記内枠に間隔を置いて回動自在に取り付けられる二個のフックとを有し、枠体が二つに折り畳み可能な二フック式の物干し具であって、前記フックと一体的に連結される連結部材と、前記内枠又は前記外枠に固定されるフック取付金具と、を有し、前記連結部材がフック取付金具に回動自在に取り付けられているものにおいて、前記連結部材は、蓋体と本体部とよりなり、フックの基部が該蓋体と本体部との間に挟み込まれて固定されており、フック取付金具が軸穴を備えた広幅部と固定穴を備えた狭幅部とを有し、連結部材に設けられた腕部の短軸が、前記フック取付金具の軸穴に挿入されている二フック式物干し具に存する。
【００１６】
また、本発明は、（２）、連結部材の本体部には弧状壁とダルマ状凸部を有し、フックが蓋体と本体部とで挟み込まれて固定された際、フックは、その基部が弧状壁に沿って配設され、且つ基部の端がダルマ状凸部に形成された括れ部に当接されて収まっている上記（１）記載の二フック式物干し具に存する。
また、本発明は、（３）、前記腕部の内側に形成された係止突起が、フック取付金具の端面に形成された複数の係止溝に嵌り込むことで、フックが枠体に対して水平又は垂直の角度に仮固定される上記（１）又は（２）記載の二フック式物干し具に存する。
また、本発明は、（４）、前記二個のフックの向きが、物干し具幅方向において相反する方向に向けられた上記（１）〜（３）のいずれか１項記載の二フック式物干し具に存する。
【００１７】
なお、本発明の目的に添ったものであれば、上記発明を適宜組み合わせた構成も採用可能である。
【発明の効果】
【００１８】
本発明の二フック式の物干し具によれば、前記フックを回動させると、前記外枠又は前記内枠に取り付けられた前記フックは該フックの先端側が前記内枠又は前記外枠に当接し、該内枠又は外枠が前記フックの回止めを行う。
そのため、倒れた状態のフックは枠体に当接して確実に停止して安定した状態となる。
【００１９】
また前記フックと一体的に連結される連結部材と、前記内枠又は前記外枠に固定されるフック取付金具とを有し、前記連結部材がフック取付金具に回動自在に取り付けられているので、フックが枠体に対して回動自在であり且つフックの基部が露出しなく壊れにくい。
また腕部の内側に形成された係止突起がフック取付金具の端面に形成された複数の係止溝に嵌まり込むことでフックが枠体に対して所定の角度位置で仮固定される。
またフック取付金具が軸穴を備えた広幅部と固定穴を備えた狭幅部とを有することから、フックを狭幅部側から容易に広幅部の軸穴に装着することができる。
また連結部材は、フックの基部が弧状壁に沿って配設され、且つ基部の端がダルマ状凸部に形成された括れ部に当接されて収まっているために、フック自体が連結部材に確実に固定される。
【発明を実施するための最良の形態】
【００２０】
以下、本発明を実施するための最良の形態を図面に基づいて説明する。
〔第一実施形態〕
図１は、本発明の二フック式の物干し具の第一実施形態を示している。
なお、この二フック式の物干し具にはクリップ等がぶら下がるように多数取り付けられているが、図では省略することとする。
この第一実施形態の二フック式の物干し具１は、枠体３よりなり、該枠体３は二本のコ字状の外枠２Ａと、この外枠２Ａ間に連架されて外枠２Ａを補強する内枠２Ｂとを有する。
各外枠２Ａの端部は、枠体３を二つに折り畳むための回動部４に設けられた筒材５に内挿されて一体化している。
回動部４は、ピン部材Ｐにより枢着しているが外枠２Ａを開いた場合、水平以上の鈍角状態にならないような構造となっている。
各外枠２Ａには、継手６が適所に設けられ、この継手６を介して内枠２Ｂが外枠２Ａ間に連架される。
【００２１】
この第一実施形態では、内枠２Ｂは四本備わっているが、図のように、外方、すなわちコ字状の外枠２Ａの折り曲がり部分に近い位置に内枠２Ｂを設けることができる。
この外枠２Ａの折り曲がり部分は枠体の歪みが生じないようにする必要があり、この内枠２Ｂを設けることにより補強されて捩れ等の歪みが生じにくい。
内側の内枠２Ｂには、それぞれフック７が取付具８を介して回動自在に取り付けられている。
すなわちフック７の基部７Ａ１が取付具８に枢着されている。
このフック７の先端側は物干し竿等に吊り下げることができるように円弧状に湾曲しており、折り畳んだ場合には円弧部７ａが外側の外枠２Ａに当接し、フック７の下方向への回動が拘束されている。
すなわち、外枠自体がフック７の回止めとしての機能を有する。
【００２２】
外枠２Ａ及び内枠２Ｂからなる枠体３は、例えば、錆にくいステンレス製の丸筒材から構成されている。
また、図中、枠体３の裏側には多数の小穴３ａが所定間隔毎に形成されているが、この小穴３ａを切削加工により形成する場合は、粘りが強いアルミニウム等に比べてステンレスはバリの発生を抑止することができ、衣服等を傷つけることがない。
【００２３】
図２は、図１のＩＩ−ＩＩ線に沿う物干し具１の側面形態を示している。
通常、フック７は枠体３と平行に配置されている。
今、物干し具１を物干し竿９に吊り下げる場合は、フック７を図の二点鎖線で示すように、上方に９０度回動させ、枠体３の面に対して直立状態にする。
この状態でフック７を物干し竿９に掛けると、２つのフックの長さは同じなので物干し竿９と枠体３とが相互に平行になり、枠体３が傾くことがない。
当然、衣類等を吊るして荷重がかかっても２つのフックにより枠体３が水平を維持することができる。
【００２４】
そして、図２の状態の物干し具１を中央で折り畳むと、図３に示すようになる。
図の状態では、フック７の先端は鉛直方向下方に位置しており、物干し具１は平板状になり、収納し易くなる。
【００２５】
上述した第一実施形態の二フック式の物干し具１によれば、折り畳み側と反対側において外枠２Ａに当接するようにしたので、フック７の折り畳みと同時に外枠２Ａも折り畳めることとなる。
そして内枠２Ｂに取り付けられたフック７はその先端側が外枠２Ａの上面に当接し、それ以上は内側に回動しないために折り畳みの際に支障になることはない。
そのため、回動ストッパーのような別部材を新規に設ける必要がなく、このような簡易な構造でフック７の回動を拘束することができる。
【００２６】
〔第二実施形態〕
図４は、本発明の二フック式の物干し具の第二実施形態を示している。
この第二実施形態では、第一実施形態と同一の部材には同一の符号を付し、その詳細な説明を省略する（以下の実施形態も同じ）。
この第二実施形態の二フック式の物干し具１Ａが第一実施形態の二フック式の物干し具１と異なる点は、フック７が内枠２Ｂではなく、外側の内枠２Ｂと対向する外枠２Ａに取り付けられており、フック７の先端側の円弧部が外枠２Ａではなく内枠２Ｂの上面に当接している点である。
【００２７】
このような構成にすると、フック７の基端部にあるフック取付金具８同士の間隔が広がり、物干し竿９に物干し具１Ａを吊るした場合に、物干し具１Ａの位置がより安定する。
因みに、物干し具１Ａは不使用時に、図５に示すように、二つに折り畳んで物干し竿９に吊るすことができ、収納の省スペース化を図ることができる。
【００２８】
〔第三実施形態〕
図６は、本発明の二フック式の物干し具の第三実施形態を示している。
この第三実施形態の二フック式の物干し具１Ｂが第一実施形態の二フック式の物干し具１と異なる点は、相対する二個のフック７の円弧部７ａの向きが、第一実施形態では同じ側を向いていること、すなわちフックの向きが同じであるが、この第二実施形態では物干し具幅方向において相反する方向を向いているという点である。
【００２９】
このような構成の物干し具１Ｂの場合は、物干し竿９から取り外す際、一方のフック７を手で掴みながら浮かせて枠体３を取外し方向に水平旋回させる操作だけで良く、その時、他方のフック７が外れにくく便利である。
また強風等により一方側に強い力を受けた際にも外れにくい利点がある。
【００３０】
〔第四実施形態〕
図７は、本発明の二フック式の物干し具において、フックを枠体に回動自在に取り付ける取付具８の構造の例を詳しく説明した分解図である。
また図８は、二フック式の物干し具を組み付けて取り付けた状態を示したもので、（ａ）は正面図、また（ｂ）は、側面図である。
この場合、フック７Ａは取付具（該取付具は連結部品１２とフック取付金具８Ａとよりなる）を介して枠体である外枠又は内枠に取り付けられている。
連結部品１２は蓋体１２ａと本体部１２ｂとよりなり、両者でフック７Ａを挟み込むようにした後、蓋体１２ａを螺子Ｎで本体部１２ｂに対して締め付けることによりフック７Ａの基部７ａ１は連結部品１２に固定される。
またフック７Ａの基部７ａ１は弧状壁１２ｂ４に沿って配設されており、その基部７ａ１の端がダルマ状凸部１２ｂ３に形成された括れ部に当接することで確実に収まるようになっている。
【００３１】
本体部１２ｂは、一対の腕部１２ｂ１を有しており、その先端には短軸１２ｂ２が設けられている。
またその腕部１２ｂ１の内側には係止突起Ｔが形成されている。
一方、フック取付金具８Ａは、フック取付金具８Ａの上側の広幅部８１とそれより狭い幅を有する下側の狭幅部８２とよりなり、広幅部８１は連結部品１２の短軸１２ｂ２を挿入するための軸穴８Ａａを備え、狭幅部８２は枠体を挿入固定するための固定穴８Ａｂを備えている。
そして広幅部８１の軸穴８Ａａはその下方が開放されて固定穴８Ａｂに連絡している。
この狭幅部８２の両端面には、連結部品１２の腕部１２ｂ１の係止突起Ｔが嵌合するための係止溝Ｓが三箇所（ここでは水平方向に沿って二箇所、垂直方向に沿って一箇所）に形成されている。  
【００３２】
連結部品１２の短軸１２ｂ２をフック取付金具８Ａの軸穴８Ａａに挿入することで、連結部品１２はフック取付金具８Ａに対して回動自在となる。
この場合、連結部品１２の短軸１２ｂ２を狭幅部側から上方に引き込むように入れることで短軸１２ｂ２はフック取付金具８Ａの軸穴８Ａａに容易に装着することができる。
そして連結部品１２の腕部１２ｂ１がフック取付金具８Ａの広幅部８１を外方から弾圧的に押さえるため、腕部１２ｂ１の係止突起Ｔがフック取付金具８Ａの係止溝Ｓに強く嵌まり込む状態となる。
フック７Ａを押して連結部品１２と共に内枠２Ｂの周りを回動させるとフック７Ａは、段階的に、０度、９０度、１８０度の各位置で仮固定されることとなる。
因みに、図９は、フック７Ａを１８０度に倒した状態を示す。
【００３３】
以上、本発明を説明してきたが、本発明は上述した実施形態に限定されるものではなく、その本質を逸脱しない範囲で、他の種々の変形例が可能であることはいうまでもない。
例えば、上述した第一ないし第三実施形態では、フック７を外枠２Ａ又は内枠２Ｂに当接させた例について説明したが、本発明はこれに限定されることはなく、例えば、図１０及び図１１に示すように、外枠２Ａに取り付けた弾性受け体１０の溝部１０ａにフック７の先端側を嵌め込み、外枠２Ａに仮固定させる構成であってもよい。
【００３４】
勿論、外枠２Ａに取付金具８を取り付け、内枠２Ｂに取り付けた弾性受け体にフック７の先端側を嵌め込むようにしても良い。
以上のようなフック７の回動が弾性受け体１０によって拘束される構成にすれば、部品点数は多くなるが、物干し具１を折り畳んでいる最中や、収納している最中にも、フック７が回動するようなことが確実に回避される。
【００３５】
また、上述した第一ないし第三実施形態において、フック７の一方方向への回動が外枠２Ａ又は内枠２Ｂで拘束される例について説明したが、他方方向への回動をも制限すべく、図１０及び図１１に示すような構成にしても良い。
すなわち、フック７が直立した時にオーバー回動しないように、フック７の基部に突起７ｂを形成し、オーバー回動防止部材となるフック取付金具８の突起部８ａに突起７ｂが当接するような構成にしても良い。
このように９０度以上のオーバー回動を防止すると、フック７を直立状態にして物干し具１を物干し竿に吊るした場合に、枠体と物干し具１と２つのフック７が矩形の枠を作るため強風等により力を受けても常に安定した状態にある。
【００３６】
また、図１２に示すように、フック７の基部に圧接される抵抗付与体（例えばゴム製）１１を取付金具８に設けてフック７を回動させた際に抵抗力を与えるようにしても良い。
このような構成にすれば、フック７がガタ付くのを防止することができる。
【図面の簡単な説明】
【００３７】
【図１】図１は、本発明の二フック式の物干し具の第一実施形態を示す説明図である。
【図２】図２は、図１のII−II線に沿う物干し具の側面形態を示す説明図である。
【図３】図３は、図２の状態の物干し具を折り畳んだ状態を示す説明図である。
【図４】図４は、本発明の二フック式の物干し具の第二実施形態を示す説明図である。
【図５】図５は、V −V 線に沿って視た場合の形態を折り畳んだ状態で見た物干し具を示す説明図である。
【図６】図６は、本発明の二フック式の物干し具の第三実施形態を示す説明図である。
【図７】図７は、本発明の二フック式の物干し具において、フックを枠体に回動自在に取り付ける構造の例を詳しく説明した分解図である。
【図８】図８は、図７に示す二フック式の物干し具を組み付けて取り付けた状態を示したもので、（ａ）は正面図、また（ｂ）は、側面図である。
【図９】図９は、図８のフックを１８０度に倒した状態を示す。
【図１０】図１０は、外枠２Ａに取り付けた弾性部材１０の溝部１０ａにフック７の先端側を嵌め込んで仮固定させた状態を示す説明図である。
【図１１】図１１は、図１０におけるフックを起立させた状態を示す説明図である。
【図１２】図１２は、フック７の基部に抵抗力を与える弾性受け体（例えばゴム製のもの）を備えた例を示す説明図である。
【符号の説明】
【００３８】
１，１Ａ，１Ｂ  二フック式の物干し具
２Ａ  外枠
２Ｂ  内枠
３  枠体
３ａ  小穴
４  回動部
５  筒材
６  継手
７，７Ａ  フック
７Ａ１，７ａ１  基部
７ａ  円弧部
７ｂ  突起
８  取付具
８Ａ  フック取付金具
８１  広幅部
８２  狭幅部
８Ａａ  回動軸穴
８Ａｂ  固定穴
Ｔ    突起部
Ｓ    係止溝
９  物干し竿
１０  弾性受け体
１１  抵抗付与体
１２  連結部品
１２ａ  蓋体
１２ｂ  本体部
１２ｂ１  腕部
１２ｂ２  短軸
１２ｂ３  ダルマ状凸部
１２ｂ４  弧状壁
Ｎ  螺子
【図１】
0004768453.tif 000002
【図２】
0004768453.tif 000003
【図３】
0004768453.tif 000004
【図４】
0004768453.tif 000005
【図５】
0004768453.tif 000006
【図６】
0004768453.tif 000007
【図７】
0004768453.tif 000008
【図８】
0004768453.tif 000009
【図９】
0004768453.tif 000010
【図１０】
0004768453.tif 000011
【図１１】
0004768453.tif 000012
【図１２】
0004768453.tif 000013